(57)【要約】【課題】    ギター弾くためのコードは、押さえるのが難しいものがあり初心者が弾けない場合がある。【解決手段】  ギターのフレットに装着して音程を変えるカポタストを用いて、容易にコードを変換するために、本体（１）に１２等分した円を描きそれぞれにカポタストの装着フレット名（６）０カポタストから１１カポタストまでを記載する。  その本体（１）に、１２等分し、コードＣからＢまでの音階を記載した円形の音階表示盤（２ａー２ｄ）を重ねて止めたコード変換早見表。【選択図】図１
2010091996.tif 000002
【特許請求の範囲】
【請求項１】
半音ずつずらした音階叉は音程、カポタストの装着位置を順に記載した本体と、本体と逆回転方向に半音ずつずらした音階叉は音程、カポタストの装着位置を順に記載した音階表示盤を組み合わせたコード変換早見表。
【請求項２】
本体に、稼動するように、また記載された語句が視認できるように１つ叉は複数の音階表示盤を、組み合わせた請求項１に記載のコード変換早見表。
【発明の詳細な説明】
【技術分野】
【０００１】  本発明は、ギターで押さえるのが難しいコードで構成されている曲の場合に、カポタストを装着して押さえやすいコードへの変換を容易に行えるコード変換早見表に関する。
【背景技術】
【０００２】
【登録実用新案１】
第３１１１６３４
【発明の開示】
【発明が解決しようとする課題】
【０００３】  従来、ギターのコードについては、登録実用新案  第３１１１６３４「ギターコード押指位置表示シート」のようにギターコードを表示する技術はあったが、押さえることが難しいコードを簡単に変換する方法がなかったため、初心者は難しいコードが使われている曲の演奏をすることができなかった。【０００４】  曲のキー音を変えずにコードを変換する場合には、コードと変調関連の知識が必要であった。
しかし、コードと変調の知識があっても、曲に使用されている複数のコードを変換するのには時間がかかっていた。【０００５】  そこで本発明は、カポタストの位置を記載した円形を描いた本体と、コードを半音ずつ記載した音階表示盤を組み合わせて、容易にコード変換がでできることを目的としている。
【課題を解決するための手段】
【０００６】  上記の目的を達成するために、本発明のコード変換早見表は、本体（１）にカポタストの位置を表示する円形を１２等分にし、カポタスト装着フレット区切り（３）を入れ、それぞれにカポタスト装着位置を０フレットから１１フレットまでのカポタスト装着フレット名（６）を順に記載する。
カポタスト装着フレット区切り（３）ごとに区切り線や色を変える等とすると見やすくなる。【０００７】  音階のＣからＢまでの半音ごとの合計１２音分に１２等分し、本体（１）のカポタスト装着フレット名（６）の文字が読めるように、本体（１）に描かれた円形よりもひと回り小さい音階表示盤（２ａ）に１２当分のコード区切り（４）を入れし、１２当分の円周付近にＣからＢまでの半音単位の１２種類のコード名（７）をカポタスト装着フレット名（６）と逆回りに記載する。
コードの半音単位でコード区切り（４）ごとに区切り線や色を変える等とすると見やすくなる。【０００８】  音階表示盤（２ａ）と同じ内容で、上記で記載されたコード名（７）が読めるようにさらにひと回り小さくした円形の音階表示盤（２ｂ）を作る。【０００９】  上記の音階表示盤（２ａ）と同じ内容で、上記の音階表示盤（２ａ）に記載されたコード名（７）が読めるように、さらにひと回り小さくした音階表示盤（２ｂ）を作るを繰返し、複数枚の大きさが異なる音階表示盤（２ｃ）（２ｄ）を作る。【００１０】  本体（１）に、音階表示盤（２ａ−２ｄ）の中心に円形の台紙を重ねて止めることができる止め具孔（８）を開ける。【００１１】  本体（１）を下にして、音階表示盤（２ａ−２ｄ）を大きい方から順に重ねて、音階表示盤（２ａー２ｄ）がそれぞれ回転するように止め具（５）で中心を止める。
【発明の効果】
【００１２】  このように構成された本発明は、ギターの初心者では弾きにくいＢ♭とＧｍ、Ｃｍ、Ｅ♭のコードで構成された曲の場合を例にすれば、カポタスト０の位置に曲に使われているコードを音階表示盤（２ａ）にＢ♭を合わせ、音階表示盤（２ｂ）にＧを合わせ、音階表示盤（２ｃ）にＣを合わせ、音階表示盤（２ｄ）にＥ♭を合わせる。
この場合、コードに付いているマイナー「ｍ」やセブンス「７」無視をする。【００１３】  そして、カポタスト１から順に見て行くと、カポタスト３の位置に音階表示盤（２ａ）がＧ、音階表示盤（２ｂ）がＥ、音階表示盤（２ｃ）がＡ、音階表示盤（２ｄ）がＣという、比較的に初心者でも弾きやすいコードが並んでいるので、カポタストを３フレットに装着すれば、Ｂ♭をＧ、ＧをＥ、ＣをＡ、Ｅ♭をＣに置き換えれば、キーを変えることなく簡単なコードになる事がわかる。【００１４】  Ｂ♭とＧｍ、Ｃｍ、Ｅ♭のコードの中で、ｍ（マイナー）が付いているコードＧｍ、Ｃｍ、の変換コードＥとＡにｍ（マイナー）を付けてＥｍ、Ａｍとすれば、完全にコードを変換することができる。【００１５】  これによって、Ｂ♭とＧｍ、Ｃｍ、Ｅ♭のコードの曲を、カポタストを３に装着して、Ｇ、Ｅｍ、Ａｍ、Ｃのコードで弾けば曲のキーを変えずに簡単に弾くことができるようになる。
【発明を実施するための最良の形態】
【００１６】  この発明の最良の形態は、カポタストの位置を表示する台紙及びコードを表示する円形の台紙が、ある程度の厚みがある厚紙とかプラスチック形成等が良い。【００１７】  本発明を厚紙で制作する場合本体（１）は四角形でも良いが、音階表示盤（２ａー２ｄ）は円形とする。
本体（１）と音階表示盤（２ａー２ｄ）を止める場合は、音階表示盤（２ａー２ｄ）がスムーズに回転し、台紙が踊らない程度にすると良い。
【実施例】
【００１８】  本発明の実施の形態を実施例にもとづき図面を参照して説明する。
カポタストの位置を表示する台紙である本体（１）に、１２当分に区切った円形を描く。
１２当分に区切られた円形の円周付近に、カポタスト装着フレット名（６）を０カポタストから１１カポタストまでを時計周りで順番に記載する。
描かれた円の中心に止め具孔（８）を設ける。【００２０】  音階表示盤（２ａ）を、本体（１）に記載されたカポタスト装着フレット名（６）が見えるような円形のひと回り小さいサイズで構成し、１２当分に区切りそれぞれにコードＣからＢまでの半音ごとのコード名（７）を反時計回りで順番記載する。
音階表示盤（２ａ）の中心に止め具孔（８）を設ける。【００２１】  音階表示盤（２ａ）に記載されている半音ごとの音階が見えるように、ひと回り小さいサイズで構成した上記音階表示盤（２ｂ）。【００２２】  音階表示盤（２ｂ）に記載されている半音ごとの音階が見えるように、ひと回り小さいサイズで構成した上記音階表示盤（２ｃ）。【００２３】  音階表示盤（２ｃ）に記載されている半音ごとの音階が見えるように、ひと回り小さいサイズで構成した上記音階表示盤（２ｄ）。【００２４】  本体（１）に音階表示盤（２ａからｄ）を直径の大きい順に重ねて、止め具（５）で、本体（１）及び音階表示盤（２ａからｄ）が回転するように止める。
【図面の簡単な説明】
【００２５】
【図１】コード変換早見表の正面図
【図２】コード変換早見表本体正面図
【図３】音階表示盤２ａ正面図
【図４】音階表示盤２ｂ正面図
【図５】音階表示盤２ｃ正面図
【図６】音階表示盤２ｄ正面図
【符号の説明】
１    本体
２    音階表示盤
３    カポタスト装着フレット区切り
４    コード区切り
５    止め具
６    カポタスト装着フレット名
７    コード名
８    止め具孔
９    キー音
【図１】
2010091996.tif 000003
【図２】
2010091996.tif 000004
【図３】
2010091996.tif 000005
【図４】
2010091996.tif 000006
【図５】
2010091996.tif 000007
【図６】
2010091996.tif 000008